(57)【要約】【課題】本発明は、電子機器、電子機器の入力受け付け方法、入力受け付け方法のプログラム、入力受け付け方法のプログラムを記録した記録媒体に関し、例えばカーオーディオ装置に適用して、階層構造によるメニューの表示を辿ったユーザーによる操作によりユーザーによる入力を受け付ける場合に、簡易に上位階層に戻ることができるようにする。【解決手段】本発明は、上位階層に戻るメニュー３４と他のメニュー３３Ａ〜３３Ｚのうちの一部のメニュー３３Ａ、３３Ｂとを表示し、ユーザーによるスクロールの操作（１３Ａ）に応動して、フォーカス３５を順次スクロールさせ、フォーカス３５のスクロールが困難になると、他のメニュー３３Ａ〜３３Ｚをスクロールさせて順次循環的に他のメニュー３３Ａ〜３３Ｚを表示する。【選択図】        図１
2004326402.tif 000002
【特許請求の範囲】
【請求項１】
表示部に表示した複数のメニューのユーザーによる選択により、前記表示部の表示を、該選択されたメニューに対応する複数のメニューの表示に切り換えることにより、階層構造によるメニューの選択を受け付ける電子機器において、
少なくとも１つの階層における前記表示部における前記メニューの表示においては、上位階層のメニューの表示に戻るメニューと、選択可能な他のメニューのうちの一部のメニューとを、フォーカスされた前記メニューを識別可能に設定して表示し、
前記ユーザーによるスクロールの操作に応動して、
前記戻るメニューと前記一部のメニューとにおいて、前記フォーカスを順次スクロールさせて表示し、
前記フォーカスのスクロールが困難になると、前記他のメニューのスクロールにより前記一部のメニューを表示した箇所で順次循環的に前記他のメニューを表示し、
前記ユーザーによる決定の操作に応動して、
前記フォーカスが設定されてなるメニューの選択を受け付ける
ことを特徴とする電子機器。
【請求項２】
前記ユーザーによるスクロールの操作が、
回転操作子の回転操作である
ことを特徴とする請求項１に記載の電子機器。
【請求項３】
前記ユーザーによるスクロールの操作が、
相反する方向へのスクロールを指示する１対の操作子の一方の操作子の操作である
ことを特徴とする請求項１に記載の電子機器。
【請求項４】
前記戻るメニューの選択により、前記表示部における前記メニューの表示を、
上位階層のメニューの表示に切り換え、
前記上位階層のメニューの表示が、１階層上位階層のメニューの表示である
ことを特徴とする請求項１に記載の電子機器。
【請求項５】
前記戻るメニューの選択により、前記表示部における前記メニューの表示を、上位階層のメニューの表示に切り換え、
前記上位階層のメニューの表示が、最上位階層のメニューの表示である
ことを特徴とする請求項１に記載の電子機器。
【請求項６】
前記戻るメニューの選択により、前記表示部における前記メニューの表示を、上位階層のメニューの表示に切り換え、
前記戻るメニューの選択によって前記表示部の表示を切り換える階層数を、前記一部のメニューに応じて切り換える
ことを特徴とする請求項１に記載の電子機器。
【請求項７】
表示部に表示した複数のメニューのユーザーによる選択により、前記表示部の表示を、該選択されたメニューに対応する複数のメニューの表示に切り換えることにより、階層構造によるメニューの選択を受け付ける電子機器の入力受け付け方法において、
少なくとも１つの階層における前記表示部における前記メニューの表示においては、上位階層のメニューの表示に戻るメニューと、選択可能な他のメニューのうちの一部のメニューとを、フォーカスされた前記メニューを識別可能に設定して表示し、
前記ユーザーによるスクロールの操作に応動して、
前記戻るメニューと前記一部のメニューとにおいて、前記フォーカスを順次スクロールさせて表示し、
前記フォーカスのスクロールが困難になると、前記他のメニューのスクロールにより前記一部のメニューを表示した箇所で順次循環的に前記他のメニューを表示し、
前記ユーザーによる決定の操作に応動して、
前記フォーカスが設定されてなるメニューの選択を受け付ける
ことを特徴とする電子機器の入力受け付け方法。
【請求項８】
電子機器に搭載されたコンピュータに所定の処理手順を実行させることにより、表示部に表示した複数のメニューのユーザーによる選択により、前記表示部の表示を、該選択されたメニューに対応する複数のメニューの表示に切り換え、階層構造による前記メニューの選択を受け付ける入力受け付け方法のプログラムにおいて、
前記処理手順は、
少なくとも１つの階層における前記表示部における前記メニューの表示においては、上位階層のメニューの表示に戻るメニューと、選択可能な他のメニューのうちの一部のメニューとを、フォーカスされた前記メニューを識別可能に設定して表示するステップと、
前記ユーザーによるスクロールの操作に応動して、
前記戻るメニューと前記一部のメニューとにおいて、前記フォーカスを順次スクロールさせて表示し、
前記フォーカスのスクロールが困難になると、前記他のメニューのスクロールにより前記一部のメニューを表示した箇所で順次循環的に前記他のメニューを表示するステップと、
前記ユーザーによる決定の操作に応動して、
前記フォーカスが設定されてなるメニューの選択を受け付けるステップとを有する
ことを特徴とする入力受け付け方法のプログラム。
【請求項９】
電子機器に搭載されたコンピュータに所定の処理手順を実行させることにより、表示部に表示した複数のメニューのユーザーによる選択により、前記表示部の表示を、該選択されたメニューに対応する複数のメニューの表示に切り換え、階層構造による前記メニューの選択を受け付ける入力受け付け方法のプログラムを記録した記録媒体において、
前記処理手順は、
少なくとも１つの階層における前記表示部における前記メニューの表示においては、上位階層のメニューの表示に戻るメニューと、選択可能な他のメニューのうちの一部のメニューとを、フォーカスされた前記メニューを識別可能に設定して表示するステップと、
前記ユーザーによるスクロールの操作に応動して、
前記戻るメニューと前記一部のメニューとにおいて、前記フォーカスを順次スクロールさせて表示し、
前記フォーカスのスクロールが困難になると、前記他のメニューのスクロールにより前記一部のメニューを表示した箇所で順次循環的に前記他のメニューを表示するステップと、
前記ユーザーによる決定の操作に応動して、
前記フォーカスが設定されてなるメニューの選択を受け付けるステップとを有する
ことを特徴とする入力受け付け方法のプログラムを記録した記録媒体。
【発明の詳細な説明】
【０００１】
【発明の属する技術分野】
本発明は、電子機器、電子機器の入力受け付け方法、入力受け付け方法のプログラム、入力受け付け方法のプログラムを記録した記録媒体に関し、例えばカーオーディオ装置に適用することができる。本発明は、階層構造によるメニューの選択の受け付けにおいて、上位階層に戻るメニューと他のメニューのうちの一部のメニューとを表示し、ユーザーによるスクロールの操作に応動して、フォーカスを順次スクロールさせ、フォーカスのスクロールが困難になると、他のメニューをスクロールさせて順次循環的に他のメニューを表示することにより、階層構造によるメニューの表示を辿ったユーザーによる操作によりユーザーによる入力を受け付ける場合に、簡易に上位階層に戻ることができるようにする。
【０００２】
【従来の技術】
従来、カーオーディオ装置等においては、階層構造によるメニューの表示を順次辿ったユーザーの選択により、多数の設定可能項目の中からユーザーの所望する設定可能項目の選択を受け付け、さらにはこのようにして選択された設定可能項目についてユーザーの設定を受け付けるようになされている。すなわち例えばイコライザの設定を変更する場合、メインメニュー画面で表示されるサウンド、グラフィック、初期設定等のメニューの中からサウンドのメニューを選択することにより、音に関する各種のメニューが表示され、このメニューの中からイコライザのメニューを選択することにより、イコライザの設定を変更するメニュー画面が表示される。これによりカーオーディオ装置等においては、所望する設定可能項目を簡易に検出できるようになされ、その分、使い勝手を向上するようになされている。
【０００３】
またこのようなカーオーディオ装置においては、このようなメニュー等を表示するスペースが限られていることにより、図８に示すように、多数のメニュー１Ａ〜１Ｚ、２のうちの一部のメニュー１Ｃ、１Ｄ、１Ｅだけ表示部３に表示し、ユーザーによる操作子の操作に応動して、矢印Ａにより示すように、これらのメニュー１Ｃ、１Ｄ、１Ｅを並び方向にスクロールさせて順次循環的にメニュー１Ａ〜１Ｚ、２を表示する。しかしてこの場合、このようにして表示が切り換えられるメニュー１Ａ〜１Ｚ、２においては、あたかも表示部３に対してリング状に配置されて、操作子の操作に応動してこのリングが回転し、このリングの一部を表示部３を介して見て取るように感じられる。
【０００４】
このようなカーオーディオ装置においては、このようにメニュー１Ａ〜１Ｚ、２を切り換える操作子が、回転操作子であるロータリーエンコーダ、押圧操作可能な回転操作子であるジョグダイヤル等により構成されるようになされている。
【０００５】
またこのようなカーオーディオ装置においては、この表示部３に表示されたメニュー１Ｅ〜１Ｚ、２のうち所定の位置に表示されたメニュー１Ｄについては、他のメニュー１Ｃ、１Ｅと異なるように表示される。具体的に、この異なる表示にあっては、この所定位置に表示されたメニュー１Ｄが枠形状によるカーソル４により囲まれて、また他のメニューに比して異なる明るさにより、さらには明暗の繰り返し等により表示される。
【０００６】
カーオーディオ装置は、これによりユーザーにより決定の操作子が操作されると、この異なる表示に係るメニューの選択を受け付け、この選択されたメニューにさらに下位階層のメニューが存在する場合は、この下位階層のメニューを同様に表示するようになされている。これに対してこのようにして表示したメニューが最終的に入力を受け付けるメニューの場合等であって、このメニューに下位階層のメニューが存在しない場合には、メイン画面に表示を戻すようになされている。
【０００７】
カーオーディオ装置においては、このような多数のメニュー１Ａ〜１Ｚ、２の１つに、上位階層のメニューに戻るメニュー２が割り当てられ、この戻るのメニュー２が選択された場合には、上位階層のメニューに表示を切り換えるようになされ、これにより誤ってメニューを選択した場合等にあっては、改めてメニューを選択できるようになされている。
【０００８】
これに対してコンピュータにおいては、例えば特開平１１−３９１２９号公報等に、多数のメニューを順次循環的に切り換えて表示し、ユーザーによる選択を受け付ける方法が提案されるようになされている。
【０００９】
【特許文献１】
特開平１１−３９１２９号公報
【００１０】
【発明が解決しようとする課題】
ところで図８に示すようなメニューの表示による入力の受け付けにおいて、曲名の入力を受け付ける場合にあっては、上位階層のメニュー画面で英語大文字、英語小文字、ひらがな、片仮名、記号等の選択を受け付け、例えば英語が選択された場合には、Ａ、Ｂ、Ｃ、……、Ｚの各文字のメニューを表示することになる。
【００１１】
しかしながらこのような曲名等にあっては、英語大文字、英語小文字、ひらがな、片仮名、記号の組み合わせにより入力する場合もあり、これによりこのような場合、頻繁に、戻るのメニュー２を選択操作しなければならなくなる。
【００１２】
これに対してこの図８に示す例において、戻るのメニュー２を選択操作する場合、結局、メニューをスクロールさせて戻るのメニュー２が枠によるカーソル４に合ったことを確認した後、決定の操作子を操作することが必要になる。
【００１３】
これによりこのようなメニューの表示による入力の受け付けにおいては、上位階層に戻る操作が面倒で、これにより使い勝手の面で実用上未だ不十分な問題があった。
【００１４】
特にカーオーディオ装置においては、車両に搭載されて使用されることにより、このように戻るのメニュー２が枠によるカーソル４に合ったことを確認して操作する場合にあっては、安全性の面でも問題がある。
【００１５】
なおこの戻るのメニュー２の選択操作においては、他のメニューが多く、多数のメニューをスクロールさせなければ戻るのメニュー２を表示できない場合、これとは逆に、他のメニューが少なく、少しのメニューのスクロールで戻るのメニュー２が繰り返されてしまう場合に、操作が面倒になる。
【００１６】
本発明は以上の点を考慮してなされたもので、階層構造によるメニューの表示を辿ったユーザーによる操作によりユーザーによる入力を受け付ける場合に、簡易に上位階層に戻ることができる電子機器、電子機器の入力受け付け方法、入力受け付け方法のプログラム、入力受け付け方法のプログラムを記録した記録媒体を提案しようとするものである。
【００１７】
【課題を解決するための手段】
かかる課題を解決するため請求項１の発明においては、表示部に表示した複数のメニューのユーザーによる選択により、表示部の表示を、該選択されたメニューに対応する複数のメニューの表示に切り換えることにより、階層構造によるメニューの選択を受け付ける電子機器に適用して、少なくとも１つの階層における表示部におけるメニューの表示においては、上位階層のメニューの表示に戻るメニューと、選択可能な他のメニューのうちの一部のメニューとを、フォーカスされたメニューを識別可能に設定して表示し、ユーザーによるスクロールの操作に応動して、戻るメニューと一部のメニューとにおいて、フォーカスを順次スクロールさせて表示し、フォーカスのスクロールが困難になると、他のメニューのスクロールにより一部のメニューを表示した箇所で順次循環的に他のメニューを表示し、ユーザーによる決定の操作に応動して、フォーカスが設定されてなるメニューの選択を受け付ける。
【００１８】
また請求項７の発明においては、表示部に表示した複数のメニューのユーザーによる選択により、表示部の表示を、該選択されたメニューに対応する複数のメニューの表示に切り換えることにより、階層構造によるメニューの選択を受け付ける電子機器の入力受け付け方法に適用して、少なくとも１つの階層における表示部におけるメニューの表示においては、上位階層のメニューの表示に戻るメニューと、選択可能な他のメニューのうちの一部のメニューとを、フォーカスされたメニューを識別可能に設定して表示し、ユーザーによるスクロールの操作に応動して、戻るメニューと一部のメニューとにおいて、フォーカスを順次スクロールさせて表示し、フォーカスのスクロールが困難になると、他のメニューのスクロールにより一部のメニューを表示した箇所で順次循環的に他のメニューを表示し、ユーザーによる決定の操作に応動して、フォーカスが設定されてなるメニューの選択を受け付ける。
【００１９】
また請求項８の発明においては、電子機器に搭載されたコンピュータに所定の処理手順を実行させることにより、表示部に表示した複数のメニューのユーザーによる選択により、表示部の表示を、該選択されたメニューに対応する複数のメニューの表示に切り換え、階層構造によるメニューの選択を受け付ける入力受け付け方法のプログラムに適用して、処理手順は、少なくとも１つの階層における表示部におけるメニューの表示においては、上位階層のメニューの表示に戻るメニューと、選択可能な他のメニューのうちの一部のメニューとを、フォーカスされたメニューを識別可能に設定して表示するステップと、ユーザーによるスクロールの操作に応動して、戻るメニューと一部のメニューとにおいて、フォーカスを順次スクロールさせて表示し、フォーカスのスクロールが困難になると、他のメニューのスクロールにより一部のメニューを表示した箇所で順次循環的に他のメニューを表示するステップと、ユーザーによる決定の操作に応動して、フォーカスが設定されてなるメニューの選択を受け付けるステップとを有するようにする。
【００２０】
また請求項９の発明においては、電子機器に搭載されたコンピュータに所定の処理手順を実行させることにより、表示部に表示した複数のメニューのユーザーによる選択により、表示部の表示を、該選択されたメニューに対応する複数のメニューの表示に切り換え、階層構造によるメニューの選択を受け付ける入力受け付け方法のプログラムを記録した記録媒体に適用して、処理手順は、少なくとも１つの階層における表示部におけるメニューの表示においては、上位階層のメニューの表示に戻るメニューと、選択可能な他のメニューのうちの一部のメニューとを、フォーカスされたメニューを識別可能に設定して表示するステップと、ユーザーによるスクロールの操作に応動して、戻るメニューと一部のメニューとにおいて、フォーカスを順次スクロールさせて表示し、フォーカスのスクロールが困難になると、他のメニューのスクロールにより一部のメニューを表示した箇所で順次循環的に他のメニューを表示するステップと、ユーザーによる決定の操作に応動して、フォーカスが設定されてなるメニューの選択を受け付けるステップとを有するようにする。
【００２１】
請求項１の構成によれば、電子機器に適用して、少なくとも１つの階層における表示部におけるメニューの表示においては、上位階層のメニューの表示に戻るメニューと、選択可能な他のメニューのうちの一部のメニューとを、フォーカスされたメニューを識別可能に設定して表示し、ユーザーによるスクロールの操作に応動して、戻るメニューと一部のメニューとにおいて、フォーカスを順次スクロールさせて表示し、フォーカスのスクロールが困難になると、他のメニューのスクロールにより一部のメニューを表示した箇所で順次循環的に他のメニューを表示し、ユーザーによる決定の操作に応動して、フォーカスが設定されてなるメニューの選択を受け付けることにより、戻るのメニューにおいては、常に一定の箇所に表示した状態で、他のメニューを順次循環的に表示し、これら戻るのメニュー、他のメニューを選択することができる。しかしてこの場合、戻るのメニューにおいては、常に一定の箇所に表示されていることにより、必要に応じて素早くかつ間違いなく選択して上位階層に戻ることができ、これにより階層構造によるメニューの表示を辿ったユーザーによる操作によりユーザーによる入力を受け付ける場合に、簡易に上位階層に戻ることができる。
【００２２】
これにより請求項７、請求項８、請求項９の構成によれば、階層構造によるメニューの表示を辿ったユーザーによる操作によりユーザーによる入力を受け付ける場合に、簡易に上位階層に戻ることができる電子機器の入力受け付け方法、入力受け付け方法のプログラム、入力受け付け方法のプログラムを記録した記録媒体を提供することができる。
【００２３】
【発明の実施の形態】
以下、適宜図面を参照しながら本発明の実施の形態を詳述する。
【００２４】
（１）実施の形態の構成
図２は、本発明の実施の形態に係るカーオーディオ装置を示すブロック図である。このカーオーディオ装置１１は、操作子１３の操作に応動して中央処理ユニット（ＣＰＵ）１３により各部動作を制御し、ソース部１４より提供される各種音楽コンテンツをユーザーに提供する。
【００２５】
すなわちこのカーオーディオ装置１１において、ソース部１４は、アンテナ１５により各種放送波を受信してオーディオデータ等を出力するチュナー１６、コンパクトディスク等の光ディスクを再生してオーディオデータ、画像データ等を出力する光ディスクドライブ１７、図示しないメモリカードをアクセスしてこのメモリカードに記録されたオーディオデータ、画像データを出力するメモリカードインターフェース（メモリカードＩ／Ｆ）１８、これらチュナー１６、光ディスクドライブ１７、メモリカードインターフェース１８から得られるオーディオデータ、画像データ等を記録して出力するフラッシュメモリによるメモリ１９により構成される。これによりこのカーオーディオ装置１１では、放送、光ディスク、メモリカードにより供給される音楽コンテンツを直接に、又はメモリ１９に一時記録して楽しむことができるようになされている。また光ディスク、メモリカードにより提供される静止画像、動画像を表示部３１の壁紙として利用できるようになされている。
【００２６】
すなわちこのカーオーディオ装置１１において、ディジタルシグナルプロセッサ２２は、ソース部１４からオーディオデータを入力し、このオーディオデータの音量、音質を補正した後、ディジタルアナログ変換処理してオーディオ信号を出力し、続く増幅回路２３は、このオーディオ信号によりスピーカ２４を駆動する。これによりカーオーディオ装置１１は、ソース部１４から得られる音楽コンテンツを楽しむことができるようになされている。
【００２７】
描画回路２５は、ソース部１４から出力される画像データ、中央処理ユニット１２から出力される描画データにより、表示部３１を駆動し、これにより表示部３１に各種のメニューを表示し、さらには静止画像による壁紙、静止画像をスクロールしてなる動画像による壁紙を表示するようになされている。
【００２８】
中央処理ユニット１２は、メモリ２７に記録された制御プログラムの実行により、操作子１３の操作に応動して各部の動作を制御する。なおこの制御プログラムにおいては、事前にメモリ２７にインストールされて提供され、又は図示しない通信手段によりインターネット等のネットワークを介してダウンロードしたプログラムのインストールにより、さらには各種の記録媒体により提供されるプログラムのインストールにより、提供されるようになされている。因みにこのような記録媒体としては、磁気ディスク、光ディスク、磁気テープ等の各種記録媒体を適用することができる。
【００２９】
中央処理ユニット１２は、この制御において操作子１３の操作に応動してソース部１４の動作を制御することにより、放送によるオーディオデータ、コンパクトディスクに記録されたオーディオデータ等を選択的にディジタルシグナルプロセッサ２２に出力し、このディジタルシグナルプロセッサ２２により音量、音質を補正してスピーカ２４を駆動する。また同様にして表示に供する画像データをソース部１４から描画回路２５に出力し、この画像データによる静止画像、動画像を表示部３１で表示する。また各種のメニューを表示部３１で表示し、ユーザーによるメニューの選択を受け付け、さらに選択されたメニューに応じて全体の動作を制御する。
【００３０】
この実施の形態において、カーオーディオ装置１１は、この表示部３１に複数のメニューが表示され、ユーザーによるこの表示部３１に表示したメニューの選択により、この表示部３１の表示が、該選択されたメニューに対応する複数のメニューの表示に切り換えられる。これによりカーオーディオ装置１１は、この表示部３１におけるメニューの選択受け付けが、階層構造によるメニューの表示を順次辿ったユーザーの選択により実行されるようになされている。
【００３１】
すなわち図３は、メモリ１９に記録した音楽の曲名等の入力に係るメニューの選択について、メニューの階層構造を示す図表である。この入力の受け付けにおいて、中央処理ユニット１２は、メニュー画面の表示を指示する操作子の操作に応動してメインメニュー画面（ＭＥＮＵ）を表示し、このメインメニュー画面における名前入力のメニュー（ＮＡＭＥ  ＩＮ  ）の選択により、英字大文字のメニュー（ＡＢＣ  ）、英字小文字メニュー（ａｂｃ  ）、片仮名メニュー（アイウ）、平仮名メニュー（あいう）、数字メニュー（１２３  ）、記号メニュー等の、文字入力を設定するメニューを表示する。またこれら文字入力を設定するメニューにおけるユーザーの選択により表示を切り換え、例えば英字大文字のメニュー（ＡＢＣ  ）が選択された場合には、このメニューに対応する英字大文字の各文字のメニュー（Ａ  ）、（Ｂ  ）、（Ｃ  ）……（Ｚ  ）を表示し、これら各文字のメニューの選択により対応する文字の入力を受け付ける。なおこの場合に、例えば英字小文字のメニュー（ａｂｃ  ）が選択された場合には、このメニューに対応する英字小文字の各文字のメニュー（ａ  ）、（ｂ  ）、（ｃ  ）……（ｚ  ）を表示するのに対し、片仮名のメニュー（アイウ）が選択された場合には、このメニューに対応する片仮名の各文字のメニュー（ア）、（イ）、（ウ）……（ン）を表示し、文字の入力を受け付ける。
【００３２】
またこのような操作の繰り返しにより文字列の入力を受け付け、ユーザーによる決定の操作子の操作により、事前に選択された音楽コンテンツに対してこの文字列を曲名として、さらには演奏者名としてメモリ１９に登録する。中央処理ユニット１２は、メモリ１９に記録された音楽コンテンツをスピーカ２４より出力している間、ユーザーによる指示により、このようにして登録した曲名、演奏者名を表示部３１に表示するようになされている。
【００３３】
これに対して図４は、表示部３１に表示する壁紙の選択に係るメニューの選択について、メニューの階層構造を示す図表である。この場合、中央処理ユニット１２は、メニュー画面の表示を指示する操作子の操作に応動してメインメニュー画面（ＭＥＮＵ）を表示し、このメインメニュー画面（ＭＥＮＵ）におけるセットアップのメニュー（ＳＥＴＵＰ  ）の選択により、セットアップの対象を示す画像のメニュー（Ｇｒａｐｈｉｃ  ）、時計のメニュー（ＴＩＭＥ）を表示する。なおメインメニュー画面（ＭＥＮＵ）においては、このセットアップのメニュー（ＳＥＴＵＰ  ）の他にも、音質の設定に係るメニュー（ＳＯＵＮＤ  ）、メモリに記録した音楽コンテンツについてランダム再生等の再生モードを設定するメニュー（ＰＬＡＹＭＯＤＥ）等が設けられ、例えば音質の設定に係るメニュー（ＳＯＵＮＤ  ）が選択された場合には、このメニューの下位階層に設けられる具体的に設定対象を特定するメニュー（ＳＵＲＲＯＵＮＤ）、（ＥＱ）を表示するようになされている。なおここでメニュー（ＳＵＲＲＯＵＮＤ）は、残響の設定を選択するメニューであり、このメニューの選択により具体的に残響を設定する設定画面を表示するようになされている。これに対してメニュー（ＥＱ）は、イコライザの設定を選択するメニューであり、この場合も、このメニューの選択により具体的にディジタルシグナルプロセッサ２２の処理に係る周波数特性の設定画面を表示するようになされている。
【００３４】
中央処理ユニット１２は、画像のメニュー（Ｇｒａｐｈｉｃ  ）が選択されると、さらにセットアップ対象を特定する壁紙のメニュー（ＷａｌｌＰａｐｅｒ  ）、ソースのメニュー（ＳＯＵＣＥ  ）を表示する。さらに壁紙のメニュー（ＷａｌｌＰａｐｅｒ  ）が選択されると、静止画のメニュー（ＰＨＯＴＯ  ）、動画のメニュー（ＭＯＶＩＥ  ）を表示し、さらにこれらのメニュー（ＰＨＯＴＯ  ）、（ＭＯＶＩＥ  ）がそれぞれ選択されると、メモリインターフェース１８に係るメモリカードのメニュー（ＭｅｍｏｒｙＣａｒｄ）、メモリ１９に対応するメモリのメニュー（Ｍｅｍｏｒｙ）を表示する。またさらにメモリカードのメニュー（ＭｅｍｏｒｙＣａｒｄ）が選択されると、メモリカードインターフェース１８を介してメモリカードをアクセスしてメモリカードのフォルダ構造を検出し、このフォルダ構造に対応するフォルダのメニュー（Ｆｏｌｄｅｒ１  ）、（Ｆｏｌｄｅｒ２  ）、（Ｆｏｌｄｅｒ３  ）を表示し、さらにフォルダのメニュー（Ｆｏｌｄｅｒ１  ）、（Ｆｏｌｄｅｒ２  ）、（Ｆｏｌｄｅｒ３  ）の選択により、対応するフォルダに保持された静止画像、動画像に係るファイルをそれぞれ選択するメニュー（画像１）、（画像２）、（画像３）を表示する。これに対してメモリのメニュー（Ｍｅｍｏｒｙ）が選択されると、メモリ１９に保持されてなるそれぞれ静止画像、動画像に係るファイルをそれぞれ選択するメニュー（画像１）、（画像２）、（画像３）を表示する。
【００３５】
中央処理ユニット１２は、このようにしてユーザーの操作に応動して順次階層を辿ってメニューを表示し、ファイルを選択するメニュー（画像１）、（画像２）、（画像３）が最終的にユーザーにより選択されると、このメニューに対応する画像データをメモリカード、メモリ１９より読み出して描画部２５に出力し、これによりユーザーにより選択された画像ファイルを壁紙として表示するようになされている。また中央処理ユニット１２は、同様にして音質等の設定を受け付け、この設定によりディジタルシグナルプロセッサ２２等の動作を設定するようになされている。
【００３６】
図５は、英字大文字のメニューの選択により各文字のメニューを表示する場合について、このようなメニューの表示に係る表示部３１を周辺構成と共に示す正面図である。このカーオーディオ装置１１において、表示部３１は、横長の表示画面による液晶表示パネルにより構成され、カーオーディオ装置１１においては、この表示部３１による表示画面に隣接して押圧操作可能な回転操作子１３Ａが設けられる。中央処理ユニット１２においては、ロータリーエンコーダによりこの回転操作子１３Ａの回転操作量を検出し、またこの回転操作子１３Ａの回転軸に設けられた押圧スイッチによりこの回転操作子１３Ａの押圧操作を検出できるようになされている。
【００３７】
中央処理ユニット１２は、このような横長の表示部３１について、回転操作子１３Ａに近い側に、立て方向に並んで、３つのメニュー表示箇所を形成し、この３つのメニュー表示箇所に選択可能なメニューを表示する。またこの場合に、このメニューの表示箇所に比して、表示すべきメニューが多い場合、上位階層のメニューの表示に戻るメニューと、選択可能な他のメニューのうちの一部のメニューとを、フォーカスされたメニューを識別可能に設定して表示する。またユーザーによるスクロールの操作に応動して、表示部３１におけるメニューの表示上で、フォーカスを順次スクロールさせ、フォーカスのスクロールが困難になると、他のメニューのスクロールにより順次循環的に一部のメニューの表示を切り換える。
【００３８】
具体的に、この実施の形態において、中央処理ユニット１２は、これら表示部３１の３つのメニュー表示箇所のうちの、最も上部の表示箇所に、上位階層のメニュー表示に戻るメニュー３４を表示する。また残る２つのメニュー表示箇所で、他の選択可能なスクロールに係る多数のメニュー３３Ａ〜３３Ｚのうちの、２つのメニュー３３Ａ、３３Ｂを表示する。
【００３９】
また中央処理ユニット１２は、このようなメニューの表示開始時において、これら３つのメニュー表示箇所のうちの、中央のメニュー表示箇所に表示してなるメニュー３３Ａを枠形状によるカーソル３５により囲んで表示し、このカーソル３５によりフォーカスが設定されてなるメニュー３３Ａを識別可能とする。
【００４０】
中央処理ユニット１２は、回転操作子１３Ａの回転操作に応動してこのカーソル３５をスクロールさせることにより、これらメニュー３４、３３Ａ、３３Ｂでフォーカスをスクロールさせ、このカーソル３５がメニュー表示位置の最上部又は最下部にスクロールしてそれぞれ上側及び下側にカーソル３５をスクロールすることが困難になると、メニュー３３Ａ〜３３Ｚをスクロールさせることにより、メニュー３３Ａ、３３Ｂが表示されてなる表示箇所を用いて、順次循環的にメニュー３３Ａ〜３３Ｚを表示する。
【００４１】
すなわち図１（Ａ）及び（Ｂ）に示すように、ユーザーにより回転操作子１３Ａが時計方向に操作されると、この操作方向に応動してカーソル３５を上方向にスクロールさせる。また図１（Ｃ）に示すように、さらに回転操作子１３Ａが時計回りに操作されると、この場合、カーソル３５においては、これ以上、上方向にスクロールできないことにより、今度は、文字のメニュー３３Ａ〜３３Ｚを上方向にスクロールさせ、これによりそれまで上側に表示していたメニュー３３Ａの表示箇所に、下側に表示していたメニュー３３Ｂを表示し、またこの下側のメニューの表示箇所に、続くメニュー３３Ｃを表示する。中央処理ユニット１２は、このようにしてメニュー３３Ａ〜３３Ｚのスクロールによりメニューの表示を切り換えて、さらにユーザーにより回転操作子１３Ａが時計回りに回転操作されると、同様に、メニュー３３Ａ〜３３Ｚのスクロールによりメニューの表示を切り換える。
【００４２】
これに対して図１（Ｄ）に示すように、回転操作子１３Ａが、途中で、反時計回りに操作されると、この場合、カーソル３５においては、下側にスクロールし得ることにより、カーソル３５を下方向にスクロールさせる。また図１（Ｅ）に示すように、回転操作子１３Ａが、さらに反時計回りに操作されると、さらにカーソル３５を下側にスクロールさせる。
【００４３】
これに対して図６（Ａ）及び（Ｂ）に示すように、始めに、反時計回りに回転操作子１３Ａが操作された場合、この操作方向に応動してカーソル３５を下方向にスクロールさせる。また図６（Ｃ）に示すように、さらに回転操作子１３Ａが反時計回りに操作されると、この場合、カーソル３５においては、これ以上、下方向にスクロールできないことにより、今度は、文字のメニュー３３Ａ〜３３Ｚを下方向にスクロールさせ、これによりそれまで下側に表示していたメニュー３３Ｂの表示箇所に、中央に表示していたメニュー３３Ａを表示し、またこの中央のメニューの表示箇所に、続くメニュー３３Ｚを表示する。中央処理ユニット１２は、このようにしてメニュー３３Ａ〜３３Ｚのスクロールによりメニューの表示を切り換えて、さらにユーザーにより回転操作子１３Ａが反時計回りに回転操作されると、同様に、メニュー３３Ａ〜３３Ｚのスクロールによりメニューの表示を切り換える。
【００４４】
これに対して図６（Ｄ）に示すように、回転操作子１３Ａが、途中で、時計回りに操作されると、この場合、カーソル３５においては、上側にスクロールし得ることにより、カーソル３５を上方向にスクロールさせる。また図６（Ｅ）に示すように、回転操作子１３Ａが、さらに時計回りに操作されると、さらにカーソル３５を上側にスクロールさせる。
【００４５】
これにより中央処理ユニット１２は、回転操作子１３Ａの回転操作により、この階層において選択する項目のメニュー３３Ａ〜３３Ｚについては、順次循環的に表示してカーソル３５を合わせることができるようにし、上位階層に戻るメニュー３４については、常に、表示画面の一定箇所に表示してカーソル３５を合わせることができるようになされている。
【００４６】
中央処理ユニット１２は、回転操作子１３Ａが押圧操作されると、このようにしてカーソル３５が合わされてなるメニューの選択を受け付ける。すなわち図１及び図６の例において、メニュー３３Ａ〜３３Ｚの何れかにカーソル３５が合わされている状態で、回転操作子１３Ａが押圧操作された場合、このカーソル３５が合わされているメニューの選択を受け付け、この場合、対応する文字の入力を受け付ける。またこのようにして１文字分の文字入力を受け付けると、中央処理ユニット１２は、この場合、続く文字入力を受け付けるように、各文字のメニュー３３Ａ〜３３Ｚを表示し続ける。また図示しない決定の操作子の操作により、文字入力を終了してメニューの表示を終了する。
【００４７】
これに対して上位階層側のメニューにおいて、回転操作子１３Ａが押圧操作された場合、カーソル３５が合っているメニューの選択を受け付け、この選択されたメニューの下位階層のメニューに表示を切り換える。またこのようにして順次階層を辿って、最も下位階層の例えば画像の選択メニュー、イコライザの設定メニュー等で決定の操作子が操作されると、画像については壁紙に設定し、またイコライザ等においては、対応する設定に対応するようにディジタルシグナルプロセッサ２２等の設定を切り換える。
【００４８】
これに対して上位階層に戻るメニュー３４にカーソル３５が合わされている状態で、回転操作子１３Ａが押圧操作された場合、この上位階層に戻るメニューの選択を受け付ける。これによりこのカーオーディオ装置１１においては、簡易な操作により上位階層に戻ることができるようになされている。
【００４９】
中央処理ユニット１２は、このような上位階層に戻るの操作の受け付けにより、表示部３１の表示を現在表示しているメニューの上位階層のメニューの表示に切り換える。このとき中央処理ユニット１２は、表示に係るメニューに応じて、上位階層に戻る階層数を切り換え、これによりユーザーによる操作において最も戻る頻度が高い階層のメニューに、直接表示を切り換える。
【００５０】
すなわち図３において破線により囲って示すように、例えば英字大文字による各文字のメニュー（Ａ）、（Ｂ）、（Ｃ）、……を表示している状態で、上位階層に戻る場合、英単語の入力において、先頭文字を大文字で入力し、続いて小文字により入力する場合が最も多いことにより、この場合、矢印Ｂにより示すように、１階層上の、英字大文字、英字小文字等を選択するメニューに表示を切り換える。
【００５１】
これに対して図４において破線により囲って示すように、例えば画像を選択するメニューを表示した状態で上位階層に戻る場合、選択する画像の保存場所を間違えた場合、さらには静止画と動画とを間違えた場合等が考えられ、この場合、これら２つの場合のうちの、上位階層側にメニューを切り換える。しかしてこのように上位階層側を選択すれば、下位階層側に順次メニューを辿って、本来の所望する画像を選択し得ることにより、ユーザーの使い勝手を向上することができる。
【００５２】
（２）実施の形態の動作
以上の構成において、このカーオーディオ装置１１では（図２）、ユーザーによる操作子１３の操作に応動した中央処理ユニット１２の制御により、ソース部１４より、チュナー１６で受信したオーディオデータ、光ディスクドライブ１７で再生されたオーディオデータ、メモリ１９より再生されたオーディオデータ、メモリカードインターフェース１８を介してメモリカードから取得されたオーディオデータが選択的にディジタルシグナルプロセッサ２２に入力され、ここで音質、音量等が補正される。またこのオーディオデータがアナログ信号によるオーディオ信号に変換され、このアナログ信号によるオーディオ信号により増幅回路２３でスピーカ２４が駆動される。これによりカーオーディオ装置１１では、各種のソースによる音楽コンテンツがユーザーに提供される。
【００５３】
またチュナー１６より取得されるオーディオデータ、光ディスクドライブ１７で再生されたオーディオデータがメモリ１９に記録されて保持され、これにより各種の音楽コンテンツを蓄積して楽しむことができる。
【００５４】
また同様にしてソース部１４で得られる画像データが描画回路２５に入力され、この画像データにより表示部３１に画像が表示される。これによりこのカーオーディオ装置１１では、種々の画像を壁紙として使用できるようになされている。またメモリ１９に記録した音楽コンテンツについては、ユーザーによる操作子１３の操作により曲名、演奏者名を入力できるようになされ、このようなコンテンツについては、再生中、表示部３１に表示されるようになされている。
【００５５】
カーオーディオ装置１１では、このような壁紙の選択、曲名、演奏者名の入力、さらにはディジタルシグナルプロセッサ２２における処理の設定等について、表示部３１に複数のメニューが表示され（図３及び図４）、このメニューの選択により対応する下位階層の複数のメニューが表示され、これらにより階層構造によるメニューの選択の受け付けにより、メニューの選択が受け付けられて対応する処理が実行される。
【００５６】
このメニューの表示において、このカーオーディオ装置１１では、メニューを表示部３１に全て表示しきれない場合（図５）、上位階層のメニューの表示に戻るメニュー３４と、選択可能な他のメニューのうちの一部のメニュー３３Ａ、３３Ｂとを表示し、またこれらのメニュー３４、３３Ａ、３３Ｂのうちのフォーカスされているメニュー３３Ａについては、カーソル３５により囲まれて識別可能に設定される。
【００５７】
この状態で、カーオーディオ装置１１では、ユーザーによる回転操作子１３Ａの回転操作によるスクロールの操作に応動して、表示部３１に表示してなる戻るメニュー３４と一部のメニュー３３Ａ、３３Ｂとにおいて、フォーカスが順次スクロールされ、フォーカスのスクロールが困難になると、他のメニュー３３Ａ〜３３Ｚのスクロールにより順次循環的に他のメニューが表示される（図１及び図６）。
【００５８】
これによりカーオーディオ装置１１では、戻るのメニュー３４については、常に一定の箇所に表示して、他の選択可能なメニュー３３Ａ〜３３Ｚを順次循環的に表示するようになされ、このような他の選択可能なメニュー３３Ａ〜３３Ｚの順次循環的な表示の切り換えに供する操作子１３Ａの操作により、戻るのメニュー３４を含めた表示部３１に表示してなるメニューについて、フォーカスを切り換えることができるようになされている。
【００５９】
従ってユーザーにおいては、誤ったメニューの選択等により、上位階層に戻る場合には、表示部３１に常に表示されている戻るのメニュー３４の選択により、上位階層に表示を切り換えることができ、これにより簡易に上位階層に戻ることができる。
【００６０】
またユーザーにおいては、１つの回転操作子１３Ａの操作により、このような戻るのメニューにフォーカスを合わせたり、また他のメニューの表示を切り換えたりすることができることにより、これによっても簡易に上位階層に戻ることができる。
【００６１】
またこの場合に、フォーカスをスクロールできる場合には、フォーカスをスクロールさせ、フォーカスのスクロールが困難になると、他のメニューの表示をスクロールさせることにより、回転操作子１３Ａの操作により文字のメニューを切り換えている途中で上位階層に表示を切り換える場合にあっては、それまでとは逆方向に回転操作子１３Ａを一定量（この図１、図６の例ではメニュー２個分）だけ回転させるだけで、戻るのメニュー３４にフォーカスを設定し得、これによっても簡易な操作により上位階層に戻ることができる。
【００６２】
このようにして上位階層に戻ってメニューを表示するにつき、カーオーディオ装置１１では、戻るのメニューと同時に表示してなるメニューに応じて、上位階層に戻る階層数が切り換えられる。これによりこのカーオーディオ装置１１では、誤ったメニューの選択によりメニューを選択し直す場合に、ユーザーにおける負担を軽減することができ、その分、使い勝手を向上することができる。
【００６３】
具体的に、文字の入力において、１階層上だけ戻って、入力する文字の種類を選択するメニューを表示することにより、英字大文字、英字小文字等が混在する名称等の入力において、使い勝手を向上することができる。
【００６４】
しかしてカーオーディオ装置１１では、このようしてフォーカスを切り換えて、ユーザーによる回転操作子１３Ａの押圧操作により、フォーカスが合ってなるメニューの選択が受け付けられ、このメニューの選択に対応するように壁紙等が切り換えられる。
【００６５】
（３）実施の形態の効果
以上の構成によれば、階層構造によるメニューの選択の受け付けにおいて、上位階層に戻るメニューと他のメニューのうちの一部のメニューとを表示し、ユーザーによるスクロールの操作に応動して、フォーカスを順次スクロールさせ、フォーカスのスクロールが困難になると、他のメニューをスクロールさせて順次循環的に他のメニューを表示することにより、階層構造によるメニューの表示を辿ったユーザーによる操作によりユーザーによる入力を受け付ける場合に、簡易に上位階層に戻ることができる。
【００６６】
このようなスクロールに係る操作を、回転操作子の回転操作により受け付けることにより、この回転操作子の操作量により簡易に戻るのメニューを選択することができ、その分、感覚的な操作子の操作により上位階層に表示を切り換えることができ、使い勝手を向上することができる。
【００６７】
またこのようにして切り換えられる上位階層のメニューの表示が、１階層上位階層のメニューの表示であることにより、文字入力等において、使い勝手を向上することができる。
【００６８】
またこのような戻るメニューの選択によって表示部の表示を切り換える階層数を、メニューに応じて切り換えることにより、ユーザーにおいてメニューを選択し直す場合の使い勝手を向上することができる。
【００６９】
（４）他の実施の形態
なお上述の実施の形態においては、回転操作子の回転操作によりスクロールの操作を受け付け、またこの回転操作子の押圧操作によりメニューの選択を受け付ける場合について述べたが、本発明はこれに限らず、別途、メニューの選択を受け付ける押圧操作子を設けるようにしてもよく、また回転操作子の回転操作に代えて、相反する方向へのスクロールを指示する１対の操作子の一方の操作子の操作によりスクロールの操作を受け付けるようにしてもよく、さらにはリモートコマンダーの操作によりスクロール、決定の操作を受け付けるようにしてもよい。
【００７０】
また上述の実施の形態においては、１階層又は２階層だけ上位階層に戻ってメニューを表示する場合について述べたが、本発明はこれに限らず、この階層数については種々に設定し得、例えば最上位階層に戻るようにしてもよい。なおこのように最上位階層に戻るようにすれば、何れの階層から戻る場合であっても、元の状態からメニューを選択し得ることにより、ユーザーの使い勝手を向上することができる。
【００７１】
また上述の実施の形態においては、横長の表示画面に対して縦方向に並べてメニューを表示する場合について述べたが、本発明はこれに限らず、例えば図７に示すように、横長の表示画面に対して横方向に並べてメニューを表示する場合等、メニューの表示形態にあっては、種々の表示形態を広く適用することができる。なおこの図７において、図７（Ａ）は、カーソルである枠の表示のスクロールを示し、図７（Ｂ）においては、他のメニューのスクロールを示すものである。
【００７２】
また上述の実施の形態においては、枠によるカーソルによりフォーカスが設定されているメニューを識別可能とする場合について述べたが、本発明はこれに限らず、例えばフォーカスが設定されてなるメニューを高輝度により表示する場合、点滅により表示する場合、反転表示する場合等、種々の識別可能な表示方法を広く適用することができる。
【００７３】
また上述の実施の形態においては、メニューの選択に係る処理を実行する装置に設けられた表示部について、この表示部に表示するＧＵＩに本発明を適用する場合について述べたが、本発明はこれに限らず、このような装置を制御するリモートコマンダーに設けられる表示部側のＧＵＩに本発明を適用するようにしてもよい。なおこの場合、リモートコマンダーにおけるメニューの切り換えを、本体側で実行してもよく、リモートコマンダー側で実行してもよい。
【００７４】
また上述の実施の形態においては、本発明をカーオーディオ装置における文字入力等のメニュー操作に適用する場合について述べたが、本発明はこれに限らず、ソースの選択に係るメニュー操作、さらにはカーナビゲーション装置、携帯電話、ＰＤＡ（Ｐｅｒｓｏｎａｌ  Ｄｉｇｉｔａｌ  Ａｓｓｉｓｉａｎｔｓ  ）等のメニューの表示領域が限られた機器等におけるメニュー操作に広く適用することができる。
【００７５】
【発明の効果】
上述のように本発明によれば、階層構造によるメニューの選択の受け付けにおいて、上位階層に戻るメニューと他のメニューのうちの一部のメニューとを表示し、ユーザーによるスクロールの操作に応動して、フォーカスを順次スクロールさせ、フォーカスのスクロールが困難になると、他のメニューのスクロールさせて順次循環的に他のメニューを表示することにより、階層構造によるメニューの表示を辿ったユーザーによる操作によりユーザーによる入力を受け付ける場合に、簡易に上位階層に戻ることができる。
【図面の簡単な説明】
【図１】本発明の実施の形態に係るメニュー表示の説明に供する平面図である。
【図２】本発明の実施の形態に係るカーオーディオ装置を示すブロック図である。
【図３】図２のカーオーディオ装置において名前を入力する場合のメニューの階層構造を示す図表である。
【図４】図２のカーオーディオ装置において壁紙の選択に係るメニューの階層構造を示す図表である。
【図５】図２のカーオーディオ装置におけるメニューの表示の説明に供する平面図である。
【図６】図１とは逆方向に回転操作子が操作された場合の、メニュー表示の説明に供する平面図である。
【図７】他の実施の形態に係るメニュー表示の説明に供する平面図である。
【図８】従来のメニュー表示の説明に供する平面図である。
【符号の説明】
１Ａ〜１Ｚ、２、３３Ａ〜３３Ｚ、３４……メニュー、３、３１……表示部、４、３５……カーソル、１１……カーオーディオ装置、１３、１３Ａ……操作子、１２……中央処理ユニット
【図１】
2004326402.tif 000003
【図２】
2004326402.tif 000004
【図３】
2004326402.tif 000005
【図４】
2004326402.tif 000006
【図５】
2004326402.tif 000007
【図６】
2004326402.tif 000008
【図７】
2004326402.tif 000009
【図８】
2004326402.tif 000010